【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
バスダクトのハウジングに設けられたプラグインホールに対してプラグイン装置の接触子を挿入する際のバスダクトプラグインホール保護構造において、
前記バスダクトには、前記プラグインホールを開閉可能に閉塞する扉部材が設けられ、
前記プラグイン装置には、前記プラグインホールへ前記プラグイン装置を近づける動作に応じ、前記扉部材を開方向へ動かす扉開放部が設けられていることを特徴とするバスダクトプラグインホール保護構造。
【請求項２】
前記バスダクトには、前記扉部材が開放方向に動くことを係止するロック部材が設けられ、
前記プラグイン装置には、前記プラグインホールへ前記プラグイン装置を近づける動作に応じて前記ロック部材を動かして該ロック部材による前記扉部材の係止を解除するロック解除部が設けられていることを特徴とする請求項１に記載のバスダクトプラグインホール保護構造。
【請求項３】
前記ロック部材には、前記ロック解除部の押圧を受ける被ロック解除部が設けられており、
前記被ロック解除部の少なくとも一部が前記扉部材の下側に配置されることにより、前記扉部材が開放方向に動くことが係止されることを特徴とする請求項２に記載のバスダクトプラグインホール保護構造。
【請求項４】
前記ロック部材には、前記ロック解除部の押圧を受ける被ロック解除部が設けられており、
前記被ロック解除部の少なくとも一部が、平面視において前記プラグインホールが占める領域の内側に配置されることにより、前記扉部材が開放方向に動くことが係止されることを特徴とする請求項２又は３に記載のバスダクトプラグインホール保護構造。
【請求項５】
前記プラグイン装置には、分岐用の接触子と前記接触子のホルダとが設けられ、
前記ホルダが前記ロック解除部および前記扉開放部の少なくとも一方の機能を有する、若しくは、前記接触子が前記ロック解除部および前記扉開放部の少なくとも一方の機能を有することを特徴とする請求項２乃至４の何れかに記載のバスダクトプラグインホール保護構造。
【請求項６】
前記扉部材は回動軸を有し、前記扉開放部に押圧されると、該回動軸が回動して前記プラグインホールを開放することを特徴とする請求項１乃至５の何れかに記載のバスダクトプラグインホール保護構造。
【請求項７】
前記プラググイン装置の前記扉開放部が、前記扉部材のうち前記回動軸に近い部分を垂直若しくは垂直に近い角度で押圧することで該扉部材を回動させることを特徴とする請求項６に記載のバスダクトプラグインホール保護構造。
【請求項８】
前記扉部材が、バスダクト導体の長手方向に沿ってスライドすることで前記プラグインホールを開閉することを特徴とする請求項１乃至５の何れかに記載のバスダクトプラグインホール保護構造。
【請求項９】
前記バスダクトは、前記ハウジング内に複数のバスダクト導体を有し、
前記プラグイン装置には、前記バスダクトに取り付けられた際に複数の前記バスダクト導体に接触する複数の接触子が突設され、
前記バスダクトの前記プラグインホールは、複数の前記接触子をまとめて挿通可能な大きさに形成されていることを特徴とする請求項１乃至８の何れかに記載のバスダクトプラグインホール保護構造。
【請求項１０】
前記扉部材が、第１扉部材と第２扉部材とを有し、
前記第１扉部材及び前記第２扉部材の端部同士が向かい合わせにして配置され、両開き式に前記プラグインホールを開閉することを特徴とする請求項１乃至９の何れかに記載のバスダクトプラグインホール保護構造。
【請求項１１】
前記ハウジングには、断面視で略ロ字形状の空間の内方から外方に略凸形状に突出する突出部が形成されることで前記突出部の内側に略凹形状の突出空間が形成されており、
前記プラグインホールを閉塞することに関わる部材の一部が、前記突出空間に配置されることを特徴とする請求項１乃至１０の何れかに記載のバスダクトプラグインホール保護構造。
【手続補正２】
【補正対象書類名】明細書
【補正対象項目名】発明の名称
【補正方法】変更
【補正の内容】
【発明の名称】バスダクトプラグインホール保護構造
【手続補正３】
【補正対象書類名】明細書
【補正対象項目名】０００８
【補正方法】変更
【補正の内容】
【０００８】  このように、本発明のバスダクトプラグインホール保護構造では、プラグインホールを閉塞するシャッタ部材とシャッタ部材を閉塞方向に付勢するバネ部材とを別部材によって形成しているため、シャッタ部材の強度とバネ部材の強度とを別個に設定することができる。すなわち、本発明によれば、プラグイン時の施工性を悪化させることなくシャッタ部材の強度を上げて強固な保護構造を提供することができるため、バスダクトのプラグインホールにおいて、作業者の感電等を防ぐための強固な保護とプラグイン時の施工性とを両立可能な保護構造を提供することができる。
また、本発明は、バスダクトのハウジングに設けられたプラグインホールに対してプラグイン装置の接触子を挿入する際のバスダクトプラグインホール保護構造において、前記バスダクトには、前記プラグインホールを開閉可能に閉塞する扉部材が設けられ、前記プラグイン装置には、前記プラグインホールへ前記プラグイン装置を近づける動作に応じ、前記扉部材を開方向へ動かす扉開放部が設けられていることを特徴としている。
【手続補正４】
【補正対象書類名】明細書
【補正対象項目名】００１１
【補正方法】変更
【補正の内容】
【００１１】  また、本発明によれば、前記シャッタ部材（扉部材）が、第１シャッタ部材（第１扉部材）と第２シャッタ部材（第２扉部材）とを有し、前記第１シャッタ部材（第１扉部材）および前記第２シャッタ部材（第２扉部材）の端部同士が向かい合わせにして配置され、両開き式に前記プラグインホールを開閉することを特徴としている。
【手続補正５】
【補正対象書類名】明細書
【補正対象項目名】００１５
【補正方法】変更
【補正の内容】
【００１５】  また、本発明によれば、前記シャッタ部材（扉部材）が、バスダクト導体の長手方向に沿ってスライドすることで前記プラグインホールを開閉することを特徴としている。
【手続補正６】
【補正対象書類名】明細書
【補正対象項目名】００１９
【補正方法】変更
【補正の内容】
【００１９】  また、本発明によれば、前記バスダクトには、前記シャッタ部材（扉部材）が開放方向に動くことを係止するロック部材が設けられ、前記プラグイン装置には、前記プラグインホールへ前記プラグイン装置を近づける動作に応じて前記ロック部材を動かして該ロック部材による前記シャッタ部材（扉部材）の係止を解除するロック解除部が設けられていることを特徴としている。
【手続補正７】
【補正対象書類名】明細書
【補正対象項目名】００２２
【補正方法】変更
【補正の内容】
【００２２】  また、本発明によれば、シャッタ部材（扉部材）が回動軸を有し、回動軸の回動によりプラグインホールを開閉する（扉開放部に押圧されるとこの回動軸が回動してプラグインホールを開放する）ことを特徴としている。また、プラグイン装置のシャッタ開放部（扉開放部）が、シャッタ部材（扉部材）のうち回動軸に近い部分を垂直若しくは垂直に近い角度で押圧することでシャッタ部材（扉部材）を回動させることを特徴としている。このため、プラグイン装置の挿入長さに対するシャッタ部材（扉部材）の開放方向への回動量、及び、挿入状態のプラグイン装置の引き抜き長さに対するシャッタ部材（扉部材）の閉塞方向への回動量が大きくなり、迅速な開閉が可能になる。その結果、シャッタ部材（扉部材）を開閉させるためのプラグイン装置の移動距離を短縮できる。これにより、例えば、プラグイン装置の着脱を考慮してバスダクトの周囲に予め確保する施工用スペースを縮小することも可能となる。
【手続補正８】
【補正対象書類名】明細書
【補正対象項目名】００２３
【補正方法】変更
【補正の内容】
【００２３】  また、本発明によれば、前記ロック部材において、前記ロック解除部の押圧を受ける被ロック解除部が、前記ハウジングの内側に設けられていることを特徴としている。
さらに、本発明において、前記ロック部材には、前記ロック解除部の押圧を受ける被ロック解除部が設けられており、前記被ロック解除部の少なくとも一部が前記扉部材の下側に配置されることにより、前記扉部材が開放方向に動くことが係止されることを特徴としている。
【手続補正９】
【補正対象書類名】明細書
【補正対象項目名】００２７
【補正方法】変更
【補正の内容】
【００２７】  また、本発明によれば、前記ロック部材には、前記ロック解除部の押圧によりロックが解除される被ロック解除部が設けられており、前記被ロック解除部の少なくとも一部が、前記プラグインホールの平面視において該プラグインホールの内側に位置していることを特徴としている。
さらに、本発明において、前記ロック部材には、前記ロック解除部の押圧を受ける被ロック解除部が設けられており、前記被ロック解除部の少なくとも一部が、平面視において前記プラグインホールが占める領域の内側に配置されることにより、前記扉部材が開放方向に動くことが係止されることを特徴としている。
【手続補正１０】
【補正対象書類名】明細書
【補正対象項目名】００３４
【補正方法】変更
【補正の内容】
【００３４】  このため、ロック解除部やシャッタ開放部（扉開放部）を別部材として形成する必要が無いため、構造がシンプルとなり製造コストも安くなる。
また、前記バスダクトは、前記ハウジング内に複数のバスダクト導体を有し、前記プラグイン装置には、前記バスダクトに取り付けられた際に複数の前記バスダクト導体に接触する複数の接触子が突設され、前記バスダクトの前記プラグインホールは、複数の前記接触子をまとめて挿通可能な大きさに形成されていることを特徴としている。